(57)【要約】【課題】天板上面の操作部に凹凸を作ることなく、設置時に天板の前側とカウンタートップがオーバーラップする部分に操作部を配置し、掃除がしやすく、天板面を広く有効的に活用できる調理装置を提供する。【解決手段】加熱手段４ａを備えた器具本体２と、器具本体２を覆うようにガラス板１３にて形成した天板３と、天板３の器具本体側に接着したシート状の静電スイッチ１８とを備え、器具本体２をカウンタートップ１に設置した時、カウンタートップ１と天板前側がオーバーラップする範囲に静電スイッチ１８がかかる構成とする。【選択図】図２
2006292194.tif 000002
【特許請求の範囲】
【請求項１】
加熱手段を備えた器具本体と、器具本体を覆うようにガラス板にて形成した天板と、天板の器具本体側に接着したシート状の静電スイッチとを備え、器具本体をカウンタートップに設置した時、カウンタートップと天板前側がオーバーラップする範囲に静電スイッチがかかることを特徴とした組込型加熱調理器。
【請求項２】
上記静電スイッチの器具本体側から、静電スイッチを覆うように絶縁性のシートを天板に接着することを特徴とした請求項１に示す組込型加熱調理器。
【請求項３】
上記静電スイッチとカウンタートップとの間の、静電スイッチ側に空間を介して静電スイッチを覆う絶縁体を設けることを特徴とした請求項１に示す組込型加熱調理器。
【請求項４】
上記絶縁体を樹脂性とし、静電スイッチ周囲を囲むように絶縁体に壁を設け、壁上面が天板の器具本体側面に密着することを特徴とした請求項３に示す組込型加熱調理器。
【発明の詳細な説明】
【技術分野】
【０００１】
本発明は、天面操作式の組込型ガス加熱調理器に関するものである。
【背景技術】
【０００２】
従来、天板に操作部を有する調理器は、天板を上部に盛り上げてその空間内に操作部の部品を配置する、また、天板下部の器具本体内の空間に操作部の部品を配置する構成であった（例えば、特許文献１、２参照）。
【特許文献１】特開２００１−２６３６８２号公報
【特許文献２】特開平１０−２１４６７７号公報
【発明の開示】
【発明が解決しようとする課題】
【０００３】
従来の組込型加熱調理器を設置した場合、カウンタートップの切込み穴に器具本体を落とし込みながら固定し、器具本体を覆うように天板をカウンタートップ上面に設置する。従って、天板の前側とカウンタートップの上面は約２０ｍｍから３０ｍｍ程オーバーラップするのが一般的な構成である。このオーバーラップする部分に操作部を配置する場合は、天板を上部に盛り上げ、スイッチ等の構成部品を設置する空間を作る必要があるが、その為、天板上面に凹凸ができ掃除がし難くなるという課題があった。また、オーバーラップする部分を避け、天板下部の器具本体の空間にスイッチ等の構成部品を設置すると、天板面の凹凸はなくなり掃除はし易くなるが、オーバーラップ部分の天板面の有効活用ができないという課題があった。
【０００４】
本発明は、前記従来の課題を解決するもので、天板面に凹凸がなく、また、天板前側があカウンタートップとオーバーラップする範囲にもかかるようにスイッチを設け、天板面を広く有効的に活用する調理器を提供することを目的とする。
【課題を解決するための手段】
【０００５】
前記従来の課題を解決するため、本発明の調理器は、加熱手段を備えた器具本体と、器具本体を覆うようにガラス板にて形成した天板と、天板の器具本体側に接着したシート状の静電スイッチとを備え、器具本体をカウンタートップに設置した時、カウンタートップと天板前側がオーバーラップする範囲に静電スイッチがかかる構成としたものである。
【０００６】
これによって天板上面に凹凸を作ることなく、操作部を前側にずらすことができるので、掃除がしやすく、かつ天板面を広く有効的に活用することができる。
【０００７】
また、本発明の調理器は、静電スイッチの器具本体側から、静電スイッチを覆うように絶縁性のシートを天板に接着する構成としたものである。
【０００８】
これによって静電スイッチの上から覆うようにシートを接着しているので、天板施工時にカウンタートップの切込み穴や器具本体のエッジで静電スイッチを引っ掛け、静電スイッチへ傷をつける、または静電スイッチを剥がしてしまうことを防ぐことができる。
【０００９】
また、本発明の調理器は、静電スイッチとカウンタートップとの間の、静電スイッチ側に空間を介して静電スイッチを覆う絶縁体を設ける構成としたものである。
【００１０】
これによってステンレスのような導電性物質製のカウンタートップに設置した場合でも、静電スイッチとカウンタートップとの間の静電スイッチ側に空間を介して絶縁物を有するので、静電スイッチがカウンタートップのステンレスに反応することを防ぐことができ、設置するカウンターの種類を選ばず誤動作なく使用できる。かつ静電スイッチの器具本体側を絶縁体で覆っているので、天板施工時にカウンタートップの切込み穴や器具本体のエッジで静電スイッチを引っ掛け、静電スイッチへ傷をつける、もしくは静電スイッチを剥がしてしまうことを防ぐことができる。
【００１１】
また、本発明の調理器は、絶縁体を樹脂性とし、静電スイッチ周囲を囲むように絶縁体に壁を設け、壁上面が天板の器具本体側面に密着する構成としたものである。
【００１２】
これによってカウンタートップにこぼれた煮こぼれ液が、天板下に回り込んでも、静電スイッチ周囲を囲むように絶縁体に壁を設け、壁上面が天板の器具本体側面に密着しているので、煮こぼれ液が静電スイッチに浸入することなく誤動作することなく使用できる。
【発明の効果】
【００１３】
本発明の調理器は、器具本体をカウンタートップに設置した時、カウンタートップと天板前側がオーバーラップする範囲に静電スイッチがかかる構成とすることにより、天板上面に凹凸を作ることなく、操作部を前側にずらすことができるので、掃除がしやすく、天板面を広く有効的に活用することができる。
【発明を実施するための最良の形態】
【００１４】
第１の発明は、器具本体をカウンタートップに設置した時、カウンタートップと天板前側がオーバーラップする範囲に静電スイッチがかかる構成とすることにより、天板面に凹凸を作ることなく、操作部を前側にずらすことができるので、掃除がしやすく、天板面を広く有効的に活用することができる。
【００１５】
第２の発明は、静電スイッチの器具本体側から、静電スイッチを覆うように絶縁性のシートを天板に接着する構成とすることにより、静電スイッチの上から覆うようにシートを接着しているので、天板施工時にカウンタートップの切込み穴や器具本体のエッジで静電スイッチを引っ掛け、静電スイッチへ傷をつける、または静電スイッチを剥がしてしまうことを防ぐことができる。
【００１６】
第３の発明は、静電スイッチとカウンタートップとの間の静電スイッチ側に空間を介して絶縁体を設ける構成とすることにより、ステンレスのような導電性物質製のカウンタートップに設置した場合でも、静電スイッチとカウンタートップとの間の静電スイッチ側に空間を介して絶縁物を有するので、静電スイッチがカウンタートップのステンレスに反応することを防ぐことができ、設置するカウンターの種類を選ばず誤動作なく使用できる。かつ静電スイッチの器具本体側を絶縁体で覆っているので、天板施工時にカウンタートップの切込み穴や器具本体のエッジで静電スイッチを引っ掛け、静電スイッチへ傷をつける、もしくは静電スイッチを剥がしてしまうことを防ぐことができる。
【００１７】
第４の発明は、絶縁体を樹脂性とし、静電スイッチ周囲を囲むように絶縁体に壁を設け、壁上面が天板の器具本体側面に密着する構成とすることにより、カウンタートップにこぼれた煮こぼれ液が、天板下に回りこんでも、静電スイッチ周囲を囲むように絶縁体に壁を設け、壁上面が天板の器具本体側面に密着しているので、煮こぼれ液が静電スイッチに浸入することなく誤動作することなく使用できる。
【００１８】
以下、本発明の実施の形態について、図面を参照しながら説明する。なお、この実施の形態によって本発明が限定されるものではない。
【００１９】
（実施の形態１）
図１に本発明の実施の形態１における加熱調理器の外観斜視図を示す。図１において、本発明の加熱調理器は、カウンタートップ１の切込み穴８（図２）に、器具本体２を落とし込みながら固定し、器具本体２を覆うようにガラス板を用いる天板３をカウンタートップ１上面に設置する。この時、天板３の前側とカウンタートップ１の上面は約２０ｍｍから３０ｍｍ程オーバーラップする。器具本体２は、左コンロ４ａ、奥コンロ４ｂ、右コンロ４ｃという鍋を加熱する複数のコンロ部を器具上部に備え、魚等を加熱するグリル５を器具本体２に内蔵している。天板３後部には、グリル部５の排気を排出する排気部７を設け、また天板３前方には各コンロ４ａ〜４ｃ用の点火／消火スイッチ９ａ〜９ｃ、火力調整スイッチ１０ａ〜１０ｃを備えた天面操作部６を設けている。また器具前側のグリル部５横側には、器具の電源キー１１やグリル部５用の点火／消火スイッチ９ｄ、火力調整スイッチ１０ｄを有する器具操作部１２を設けた構成としている。
【００２０】
図２に同実施の形態１における加熱調理器の要部断面図を示す。図２において、本発明の天板３は厚さ４〜６ｍｍのガラス板１３と、ガラス板１３の器具本体２側を、クッション１４を介して受ける天板受け１５と、ガラス板１３、天板受け１５の外周を囲む天板枠１６と、天板枠１６のカウンタートップ１側に接着されたシールパッキン１７からなる。天板受け１５は、天板３の強度向上、及び万が一ガラス板１３が割れたときでも、破片が器具本体２に入らないことを目的に、天面操作部６近傍を除くガラス板１３の下面に設けられている。天板枠１６は、略コの字断面を有し、ガラス板１３外周と天板受け１５の外周を覆っている。天板３のガラス板１３が、カウンタートップ１とオーバーラップした範囲にかかるように、点火／消火スイッチ９ａ〜９ｃ、火力調整スイッチ１０ａ〜１０ｃはガラス板１３に印刷され、各スイッチ９ａ〜９ｃ、１０ａ〜１０ｃに各々対応した電極を有するシート状の静電スイッチ１８を、ガラス板１３の器具本体２側に接着した構成としている。
【００２１】
以上のように構成された加熱調理器について、以下その動作、作用を説明する。
【００２２】
使用者が左コンロ４ａを使用する場合、電源キー１１を押し、器具の電源を入れた後、点火／消火スイッチ９ａを押す。
【００２３】
点火／消火スイッチ９ａを押すと、対応してガラス板１３の器具本体２側に接着された静電スイッチ１８が反応し、器具のマイコンは点火／消火スイッチが押されたと認識し、左コンロ４ａを点火させる。奥コンロ４ｂ、右コンロ４ｃ、グリル５も同様の動作を行う。
【００２４】
以上のように、本実施の形態においては、器具本体２をカウンタートップ１に設置した時、カウンタートップ１と天板３前側がオーバーラップする範囲に静電スイッチ１８がかかる構成とすることにより、天板３の上面はガラス板の表面であるので操作部近傍に凹凸がなく、操作部を前側にずらすことができるので、掃除がしやすく、天板面を広く有効的に活用することができる。
【００２５】
なお、本実施の形態では、点火／消火スイッチ９ａ〜９ｃ、火力調整スイッチ１０ａ〜１０ｃはガラス板１３に印刷としたが、他のｔ０．２程度の薄い樹脂製シートに多色印刷し、ガラス板１３の器具本体２側に静電スイッチとの間に挟みこむように接着しても同様の効果が得られる。
【００２６】
（実施の形態２）
図３は、本発明の実施の形態２における加熱調理器の要部断面図である。実施の形態１と異なる点は、静電スイッチ１８の器具本体２側から静電スイッチ１８を覆うように天板３に接着された樹脂性のシート１９を有する点である。なお、実施の形態１と同一符号のものは、同一構造を有し、説明は省略する。以上のように構成された加熱調理器について、以下その動作、作用を説明する。
【００２７】
本発明の加熱調理器は、前述したが、カウンタートップ１の切込み穴８に、器具本体２を落とし込みながら固定し、器具本体２を覆うようにガラス板を用いる天板３をカウンタートップ１上面に設置する。静電スイッチ１８は天板３の器具本体２側に接着しているので、天板３設置時、施工者にとって静電スイッチ１８は天板裏面となるので見にくく、また設置時に天板３裏面は、カウンタートップ１の切込み穴８や器具本体２に引っ掛けやすい。本発明においては、静電スイッチ１８の上から覆うように樹脂性のシート１９を接着している。そのため、天板３施工時にカウンタートップ１の切込み穴８や器具本体２のエッジで静電スイッチ１８近傍部分を引っ掛けても、シート１９で保護されているので静電スイッチ１８そのものを傷つける、または静電スイッチ１８を剥がしてしまうということを防ぐことができる。
【００２８】
以上のように、本実施の形態においては、静電スイッチ１８の器具本体２側から、静電スイッチ１８を覆うように絶縁性のシート１９を天板３に接着する構成とすることにより、静電スイッチ１８の上から覆うようにシート１９を接着しているので、天板３施工時にカウンタートップ１の切込み穴８や器具本体２のエッジで静電スイッチ１８を引っ掛け、静電スイッチ１８へ傷をつける、または静電スイッチ１８を剥がしてしまうことを防ぐことができる。
【００２９】
（実施の形態３）
図４は、本発明の実施の形態３における加熱調理器の要部断面図である。実施の形態１と異なる点は、静電スイッチ１８とカウンタートップ１との間に静電スイッチ１８側に空間２０を介して絶縁体２１を有する点である。なお、実施の形態１と同一符号のものは、同一構造を有し、説明は省略する。以上のように構成された加熱調理器について、以下その動作、作用を説明する。
【００３０】
本発明の加熱調理器は、前述したが、カウンタートップ１の切込み穴８に、器具本体２を落とし込みながら固定し、器具本体２を覆うようにガラス板を用いる天板３をカウンタートップ１上面に設置する。一方、カウンタートップ１の材質は木材、人工大理石のような絶縁体のものが主流ではあるが、ステンレスのような導電性物質製のカウンタートップも存在する。実施の形態１及び２の天板３をステンレス製のカウンタートップ１に設置した場合、静電スイッチ１８の感度にもよるが、静電スイッチ１８の裏面がカウンタートップ１のステンレスに反応してしまい誤動作を引き起こす。そこで、本発明の実施の形態３においては、ステンレスとの絶縁を確保するために、静電スイッチ１８とカウンタートップ１との間の静電スイッチ１８側に２〜３ｍｍ程度の空間２０を介して１〜３ｍｍ程度の樹脂性の絶縁体２１を設けている。前記の空間２０と、絶縁体２１により静電スイッチ１８の裏面側の絶縁が確保されるので、ステンレスのような導電性物質でできたカウンタートップ１の上面に天板３を設置して静電スイッチ１８が誤動作をおこすことを防ぐことができる。
【００３１】
以上のように、本実施の形態においては、静電スイッチ１８とカウンタートップ１との間に静電スイッチ１８側に空間２０を介して絶縁体２１を設ける構成とすることにより、ステンレスのような導電性物質製のカウンタートップ１に設置した場合でも、静電スイッチ１８とカウンタートップ１との間に静電スイッチ１８側に空間２０を介して絶縁物２１を有するので、静電スイッチ１８がカウンタートップ１のステンレスに反応することを防ぐことができ、設置するカウンターの種類を選ばず誤動作なく使用できる。また、絶縁体２１によって静電スイッチ１８の器具本体２側を覆っていることにより、天板３施工時にカウンタートップ１の切込み穴８や器具本体２のエッジで静電スイッチ１８を引っ掛け、静電スイッチ１８へ傷をつける、もしくは静電スイッチ１８を剥がしてしまうことを防ぐことができる。
【００３２】
（実施の形態４）
図５は、本発明の実施の形態４における加熱調理器の要部断面図、図６は本発明の実施の形態４における静電スイッチと絶縁体の外観斜視図である。実施の形態３と異なる点は、絶縁体２１を樹脂性とし、静電スイッチ１８周囲を囲むように絶縁体２１に壁２２を設け、壁２２上面が天板３の器具本体側面に密着する構成とした点である。なお、実施の形態３と同一符号のものは、同一構造を有し、説明は省略する。以上のように構成された加熱調理器について、以下その動作、作用を説明する。
【００３３】
加熱調理器であるため、使用者が左コンロ４ａや右コンロ４ｃを使用した場合、誤って鍋中の調理物をふきこぼす、または鍋移動時に調理物をカウンタートップ１へこぼしてしまうことがある。本発明の加熱調理器の天板３には、天板枠１６の下面にシールパッキン１７を接着し、カウンタートップ１への密着度を高めているが、経年変化などにより、パッキンが硬化しカウンタートップ１との間に隙間ができる場合もある。隙間から浸入したふきこぼれの液体が、静電スイッチ１７の裏面に侵入すると誤動作を引き起こす。そこで、本発明の実施の形態４においては、図６に示すように、絶縁体２１を樹脂性とし、静電スイッチ１８の周囲を囲むように、絶縁体２１に壁２２を設け、器具後方側で天板がカウンタートップとオーバーラップしない範囲に、配線引出し部２３を設けている。そして、図５に示すように、壁２２の上面を天板３の裏面に密着するよう天板受け１５にビス止め等機械的に締結する構成としている。これによって、静電スイッチ１８周囲を囲むように絶縁体２１に壁２２を設け、壁２２上面が天板３の器具本体側面に密着しているので、カウンタートップ１にこぼれた煮こぼれ液が、天板３下に回りこんでも、煮こぼれ液が静電スイッチ１８に浸入することがなく、誤動作することなく使用できる。
【００３４】
以上のように、本実施の形態においては、絶縁体２１を樹脂性とし、静電スイッチ１８周囲を囲むように絶縁体２１に壁２２を設け、壁２２上面が天板３の器具本体側面に密着する構成とすることにより、カウンタートップ１にこぼれた煮こぼれ液が、天板３下に回りこんでも、静電スイッチ１８周囲を囲むように絶縁体に壁２２を設け、壁２２上面が天板３の器具本体側面に密着しているので、煮こぼれ液が静電スイッチ１８に浸入することなく誤動作することなく使用できる。
【産業上の利用可能性】
【００３５】
以上のように、本発明の加熱調理器は、器具本体をカウンタートップに設置した時、カウンタートップと天板前側がオーバーラップする範囲に静電スイッチがかかる構成とすることにより、天板面に凹凸を作ることなく、操作部を前側にずらすことができるので、掃除がしやすく、天板面を広く有効的に活用するものであり、組込型のガス調理器のみならず、組込型の電磁調理器やハロゲンヒータ式の調理器などにおいても適用できる。
【図面の簡単な説明】
【００３６】
【図１】本発明の実施の形態１における加熱調理器の外観斜視図
【図２】同実施の形態１における加熱調理器の要部断面拡大図
【図３】同実施の形態２における加熱調理器の要部断面拡大図
【図４】同実施の形態３における加熱調理器の要部断面拡大図
【図５】同実施の形態４における加熱調理器の要部断面拡大図
【図６】同実施の形態４における静電スイッチと絶縁体の外観斜視図
【符号の説明】
【００３７】
１  カウンタートップ
２  器具本体
３  天板
１８  静電スイッチ
１９  シート
２０  空間
２１  絶縁体
２２  壁
【図１】
2006292194.tif 000003
【図２】
2006292194.tif 000004
【図３】
2006292194.tif 000005
【図４】
2006292194.tif 000006
【図５】
2006292194.tif 000007
【図６】
2006292194.tif 000008